(57)【要約】【課題】着脱可能な集塵部を備えた電気掃除機において、塵埃の逆流防止と塵埃のこぼれを防止し、衛生的で使用性の高い電気掃除機を提供することを目的とする。【解決手段】吸引風を発する電動送風機１２を内蔵し前記吸引風を取り入れる吸気口２０を有する本体７と、吸引された塵埃を捕集する前記本体７に着脱自在な集塵部１１とを備え、前記集塵部１１は前記吸気口２０からの吸引風を取り入れる集塵部吸気口２６を有するとともに、所定値以上の外力が作用しないときには前記集塵部吸気口２６を略閉塞する弁体４４を、前記集塵部吸気口２６に設けたもので、塵埃の逆流防止と塵埃のこぼれを防止し、衛生的で使用性の高い電気掃除機を提供できるものである。【選択図】  図２
2005006813.tif 000002
【特許請求の範囲】
【請求項１】
吸引風を発する電動送風機を内蔵し前記吸引風を取り入れる吸気口を有する本体と、吸引された塵埃を捕集する前記本体に着脱自在な集塵部とを備え、前記集塵部は前記吸気口からの吸引風を取り入れる集塵部吸気口を有するとともに、所定値以上の外力が作用しないときには前記集塵部吸気口を略閉塞する弁体を、前記集塵部吸気口に設けた電気掃除機。
【請求項２】
弁体に所定値以上の吸引力が作用すると、前記弁体が開くことで、前記吸気口と前記集塵部吸気口とを連通させる請求項１記載の電気掃除機。
【請求項３】
所定値以上の吸引力が作用すると、前記吸気口と前記集塵部吸気口とを連通させる部分を１ｍｍ以下の厚みとした請求項２記載の電気掃除機。
【請求項４】
集塵部を本体から取り出した状態において、集塵部吸気口の下方側略半分を、弁体にて略閉塞するようにした請求項１〜３のいずれか１項に記載の電気掃除機。
【請求項５】
弁体にて、吸気口と集塵部吸気口との間をシール可能に構成した請求項１〜４のいずれか１項に記載の電気掃除機。
【請求項６】
本体の掃除時使用状態において、被掃除面から本体の上端部までの高さより、半分の位置以下に吸気口を形成した請求項１〜５のいずれか１項に記載の電気掃除機。
【請求項７】
集塵部は、塵埃を含む吸引風を遠心分離することで、前記吸引風から前記塵埃を分離する請求項１〜６のいずれか１項に記載の電気掃除機。
【発明の詳細な説明】
【０００１】
【発明の属する技術分野】
本発明は、本体より取外し可能な集塵部を備えた電気掃除機に関するものである。
【０００２】
【従来の技術】
従来の本体より集塵部が取り外し可能な電気掃除機においては、集塵部を挿入する集塵部収納部を具備しており、集塵部と集塵収納部には、それぞれに吸込具に連通する本体の吸気口と電動送風機に連通する空気吸入部とが設けられ、それらのエアータイトを行うパッキンを設けたのもで、２箇所のパッキンは挿入状態で圧接となる構成のものであった（例えば、特許文献１、特許文献２参照）。
【０００３】
【特許文献１】
特開平９−２５３０１１号公報
【特許文献２】
特開２０００−３４２４９２号公報
【０００４】
【発明が解決しようとする課題】
ところがこのような着脱式の集塵部を有した電気掃除機においては、塵埃が集塵部に一杯になると、本体に設けられた吸気口に塵埃が逆流していまい、集塵部を取外す際に、塵埃が本体の吸気口と集塵部吸気口との間にかみこんだ状態となり集塵部の取外しが困難なものであった。また、その状態で集塵部を取外すと、塵埃が本体内や被掃除面上にこぼれ落ちてしまい不衛生なものであった。
【０００５】
また、集塵部を塵捨てを行う際に持ち運びを行う際にも、集塵部吸気口より塵埃がこぼれ落ちる恐れのあるものであった。
【０００６】
また、上記の問題を解決するために、本体と集塵部の吸気口を上部に設定し構成したものもあるが、本体前方の上部に吸気口を形成するために本体の大きさが大きくなるものであった。
【０００７】
本発明は上記課題を解決するもので、着脱可能な集塵部を備えた電気掃除機において、塵埃の逆流防止と塵埃のこぼれを防止し、衛生的で使用性の高い電気掃除機を提供することを目的とする。
【０００８】
【課題を解決するための手段】
上記目的を達成するために本発明は、吸引風を発する電動送風機を内蔵し前記吸引風を取り入れる吸気口を有する本体と、吸引された塵埃を捕集する前記本体に着脱自在な集塵部とを備え、前記集塵部は前記吸気口からの吸引風を取り入れる集塵部吸気口を有するとともに、所定値以上の外力が作用しないときには前記集塵部吸気口を略閉塞する弁体を、前記集塵部吸気口に設けたもので、集塵部を取外すとき、塵埃が本体内や被掃除面上にこぼれ落ちることもなく、その結果、集塵部の本体からの取り外しがしやすい。また、集塵部を、塵捨てを行う際に持ち運びを行う際にも、集塵部吸気口より塵埃がこぼれ落ちることも防止でき、以上のような、塵埃の逆流防止と塵埃のこぼれを防止し、衛生的で使用性の高い電気掃除機を提供できるものである。
【０００９】
【発明の実施の形態】
本発明の請求項１記載の発明は、吸引風を発する電動送風機を内蔵し前記吸引風を取り入れる吸気口を有する本体と、吸引された塵埃を捕集する前記本体に着脱自在な集塵部とを備え、前記集塵部は前記吸気口からの吸引風を取り入れる集塵部吸気口を有するとともに、所定値以上の外力が作用しないときには前記集塵部吸気口を略閉塞する弁体を、前記集塵部吸気口に設けたもので、集塵部を取外すとき、塵埃が本体内や被掃除面上にこぼれ落ちることもなく、その結果、集塵部の本体からの取り外しがしやすい。また、集塵部を、塵捨てを行う際に持ち運びを行う際にも、集塵部吸気口より塵埃がこぼれ落ちることも防止でき、以上のような、塵埃の逆流防止と塵埃のこぼれを防止し、衛生的で使用性の高い電気掃除機を提供できるものである。
【００１０】
本発明の請求項２記載の発明は、弁体に所定値以上の吸引力が作用すると、前記弁体が開くことで、前記吸気口と前記集塵部吸気口とを連通させるもので、電動送風機の吸引力によって開放する弁のため、電動送風機の吸引の圧損になりにくいため、吸込み性能を悪化せせることなく、塵埃の逆流の防止ができるものである。
【００１１】
本発明の請求項３記載の発明は、所定値以上の吸引力が作用すると、前記吸気口と前記集塵部吸気口とを連通させる部分を１ｍｍ以下の厚みとしたもので、さらに電動送風機の吸引の圧損ならないものである。
【００１２】
本発明の請求項４記載の発明は、集塵部を本体から取り出した状態において、集塵部吸気口の下方側略半分を、弁体にて略閉塞するようにしたもので、電動送風機の吸引の圧損になりにくいため、吸込み性能を悪化せせることなく、集塵部の持ち運び時に塵埃がこぼれることを少材料、軽量で防止することができるものである。
【００１３】
本発明の請求項５記載の発明は、弁体にて、吸気口と集塵部吸気口との間をシール可能に構成したもので、部品点数の削減により軽量化等を行うことができる。
【００１４】
本発明の請求項６記載の発明は、本体の掃除時使用状態において、被掃除面から本体の上端部までの高さより、半分の位置以下に吸気口を形成したもので、弁体を設けたことで、吸気口への塵埃逆流が防止できるため、その結果、被掃除面から本体の上端部までの高さより、半分以下の位置に吸気口を形成でき、本体の上部を集塵部に必要部分のみにでき、本体の小型化および軽量化が可能となり使用性が向上できる。
【００１５】
本発明の請求項７記載の発明は、集塵部は、塵埃を含む吸引風を遠心分離することで、前記吸引風から前記塵埃を分離するもので、遠心分離方式の電気掃除機は、集塵部に捕集した塵埃を前記集塵部より廃棄するものなので、特に効果が大きい。
【００１６】
【実施例】
（実施例１）
以下、本発明の第１の実施例を、図１〜図６を用いて説明する。
【００１７】
図１において、電気掃除機１は延長管２に取り付けた塵埃を吸引する吸込具３を有し、前記延長管２は手元ハンドル４とホース継ぎ手５付きのホース６とを介して掃除機本体７（以下、本体７とする）に連結されている。本体７は、枢支された１個の前輪キャスター８と一対の後輪９とを備えている。
【００１８】
図２に示すように、本体７内前方に形成された集塵部収納部１０には、図１における前記吸込具３から吸引され、前記延長管２および前記ホース６内の吸引通路（図示せず）を通過し、本体７まで移送させた塵埃を吸引風と分離しまた捕集する集塵部である集塵部１１が取外し可能に装着される。また、本体７の集塵部収納部１０の後方には吸引風を発する電動送風機１２等が内蔵されている。この電動送風機１２の吸入側は、開口１３を通じて空気吸入部１４に連通している。空気吸入部１４は、集塵部１１を載せた時、集塵部１１に当接する傾斜シール面１５で包囲されている。本体７後方には、排気フィルタ１６も備えており、この排気フィルター１６を通過して電動送風機１２からの排気は、本体７の機外へ放出される。更に本体７には他の部品、すなわち前記電動送風機１２の消費電力等を制御する制御部１７等の電気系統や、前記電動送風機１２に電源を供給するコードを本体７内に巻き取るコード巻き取り装置（図示せず）等が内蔵されている。
【００１９】
本体７の前壁１８は底壁１９から立ち上がっており、この底壁１９は前記集塵部収納部１０の下端面となっている。前壁１８の略中央部にはホース継ぎ手５を着脱自在に接続するための吸気口２０が設けられている。吸気口パッキン２１は吸気口２０の集塵部収納部１０側端面に取り付けられていて、吸気口２０と集塵部１１との間の空気洩れを防止している。タイト面にはリップ形状を形成することでさらにタイト性が向上される。
【００２０】
図２、図３に示すように、集塵部１１には、前記集塵部１１の下方部に設けられ吸気口２０を通過した含塵気流から粗塵を捕集する粗塵収容室２２と、前記粗塵収容室２２に重合して、本実施例では上方に重合して設けられ、粗塵をほとんど除去した気流から細塵を遠心分離するための遠心分離室２３と、前記遠心分離室２３の下方かつ前記粗塵収容室２２と並列に設けられ前記遠心分離室２３にて遠心分離された細塵を蓄積する細塵収容室２４の３室が形成してあり、前記粗塵収容室２２と前記細塵収容室２４は相互に仕切られ区画されている。集塵部１１の集塵部前壁２５には集塵部吸気口２６を形成してあり、この集塵部吸気口２６の一端は、前記集塵部１１を本体７にセットした状態においては前記吸気口２０と同心上にあって連通し、一方他端は粗塵収容室２２と連通している。
【００２１】
粗塵収容室２２は、下部に軸部２９により開閉自在で、粗塵収納室２２と細塵収納室２４を負圧に保つため蓋パッキン３１を具備する塵収容室蓋２７を有し、粗塵捕集手段である一次フィルター３２を介して前記遠心分離室２３と連通している。前記一次フィルター３２は、粗塵収容室２２に流入した塵埃を含む吸引風のうち、粗塵を前記粗塵収容室２２にて捕集する役割を果たし、それにより前記粗塵が前記粗塵収容室２２内に蓄積される構成となっている。
【００２２】
集塵部空気吸入部３３を具備した蓋板３４には、外周にパッキング３５を嵌着されており、集塵部１１の電動送風機１２の吸気側開口に隙間無く装着することで着脱自在に取り付けられる。パッキング３５は、集塵部１１を集塵部収納部１０に取り付けた状態では、傾斜シール面１５に軽く圧着した状態となり、本体７の機外から外気が空気吸入部１４に流入することを防止している。
【００２３】
図４に示すように、本体７の前壁１８には係止部Ａ３６、集塵部１１の集塵部前壁２５には係止部Ｂ３７が設けられ、集塵部１１を集塵部挿入部１０に装着した際に勘合し合うものである。また、４４は弁体であり集塵部１１に固定されたものである。
【００２４】
図５は、吸気口パッキン２１と弁対４４を一体に形成し集塵部１１に固定したものである。図６のように、弁体４４は、放射線状に複数個のスリット４５により形成されたものや、図９のように、一部を除き外周にスリット４５が設けられ構成されたものも考えられる。
【００２５】
次に、上記構成における動作、作用について説明する。
【００２６】
電動送風機１２を運転状態にすると、吸込具３から吸引された塵埃を含んだ空気流は延長管２とホース６を通って吸気口２０の中へ流入する。この空気流は、集塵部吸気口２６を通り粗塵収容室２２へ入った後、一次フィルター３２を通過するが、前記一次フィルター３２の穴よりも体積の大きい塵は一次フィルター３２に捕集され、前記粗塵収容室２２に蓄積される。また、前記一次フィルター３２の穴よりも体積の小さい塵埃は気流と一緒になって連通口Ａ３０を次々に通過し、遠心分離室２３に入る。
【００２７】
遠心分離室２３へ侵入する空気は、内面に沿って旋回渦流となり遠心分離室２３内を旋回する。そして遠心分離室２３に入った塵埃は、前記旋回渦流によって発生する遠心力の作用を受け、分離室壁２８の内面に沿って回転しながら、遠心力で飛ばされるようにして細塵収容室２４内に入る。
【００２８】
また、前記旋回渦流の回転中心部分の空気には殆ど塵埃がない状態となっているが、二次フィルター３８および不織布フィルター３９でろ過した後、空気吸入部１４から電動送風機１２に吸引され、排気フィルター１６を通過して更に塵埃を除去され、排気となって本体７の機外、つまり大気中へ排出される。
【００２９】
弁体４４は電動送風機１２が停止時は、図５、図８のように集塵部吸気口２６を略閉塞するように形成されている。しかし、電動送風機１２を動作させ吸引風が発生し、所定値以上の吸引力が作用すると、図７、図１０のように吸引風の圧力により、前記弁体４４が開き、集塵部吸気口２６を開放状態とするように構成されたものである。また、図５に示すように、前記弁体４４の動作を確実に行うためには、弁体４４の厚みを１ｍｍ以下の薄幕で形成する。１ｍｍに構成する部分は、少なくとも吸引の力により変形する部分を１ｍｍ以下とすることが好ましい。
【００３０】
上記構成による作用は、集塵部吸気口２６を略閉塞する弁体を設けることで、集塵部１１の塵埃を破棄する際、集塵部１１を集塵部収納部１０より外し破棄するまでの移動の間で開口した２６吸入口を略閉塞し、塵埃のこぼれることを防止し塵埃破棄時の使用性が向上できる。また、図６のように、放射線状に複数個のスリット４５により形成されたものや、図９のように、一部を除き外周にスリット４５としさらに１ｍｍ以下、または一部が１ｍｍ以下の薄幕にて形成することで、図７、１０のように吸引の力で容易に弁体４４は開放する。そのため、吸引通路内の圧損になることが無いので性能の向上ができる。
【００３１】
また、図２に示すように、弁体４４を設けることで、吸気口２０への塵埃逆流が防止できるため、被掃除面から本体７の上端部までの高さ（Ｆ）より、半分の位置（Ｇ）以下に吸気口２０を形成できるもので、それによって、上部（Ｈ）を集塵部１１に必要部分のみを残し小型化が可能となり本体７の軽量化ができ使用性が向上できる。
【００３２】
（実施例２）
次に、本発明の第２の実施例を、図１１、図１２を用いて説明する。なお、第１の実施例に対し、弁体４４は集塵部１１を本体７より取り外した際の、集塵部１１単体での持ち運び状態で、集塵部吸気口２６の下方側略下半分を略閉塞するように構成したものである。
【００３３】
上記構成による作用は、持ち運ぶ際に下側の略半分を弁体４４にて集塵部吸気口２６を略閉塞することにより、持運ぶ際にも塵埃がこぼれ落ちることがないため、衛生的で使用性の向上を行ったものである。また、電動送風機１２の吸引の圧損になりにくく性能低下を最小限で抑えかつ、衛生的で使用性の向上を行ったものである。
【００３４】
【発明の効果】
本発明によれば、着脱可能な集塵部を備えた電気掃除機において、塵埃の逆流防止と塵埃のこぼれを防止し、衛生的で使用性の高い電気掃除機を提供できる。
【図面の簡単な説明】
【図１】本発明の第１の実施例を示す電気掃除機の全体外観図
【図２】同掃除機本体の側断面図
【図３】図２のＡ−Ａ断面図
【図４】図２のＢ部拡大図
【図５】図２の他のＢ部拡大図
【図６】図５のＥ矢視図
【図７】図２の他のＢ部拡大図
【図８】図２の他のＢ部拡大図
【図９】図８のＥ矢視図
【図１０】図９のＩ−Ｉ断面図
【図１１】図２の他のＢ部拡大図
【図１２】図１１のＥ矢視図
【符号の説明】
７  本体
１１  集塵部
１２  電動送風機
２０  吸気口
２１  吸気口パッキン
２６  集塵部吸気口
４４  弁体
【図１】
2005006813.tif 000003
【図２】
2005006813.tif 000004
【図３】
2005006813.tif 000005
【図４】
2005006813.tif 000006
【図５】
2005006813.tif 000007
【図６】
2005006813.tif 000008
【図７】
2005006813.tif 000009
【図８】
2005006813.tif 000010
【図９】
2005006813.tif 000011
【図１０】
2005006813.tif 000012
【図１１】
2005006813.tif 000013
【図１２】
2005006813.tif 000014